(57)【要約】【課題】  遠隔地に設置した複数のカメラの映像またはマイクの音声をメールにて受信できるようにする。一定間隔で受信するのではなく、利用者の任意の時点の映像または音声を受信する。メールを通信手段とする為、カメラまたはマイク側にグローバルＩＰアドレスを必要とせず、また、メール設定以外の特殊な通信設定やクライアントソフトが不要な為、導入が容易なシステムを構築できる。例えば、携帯電話からの利用も容易である。【解決手段】  メールとカメラまたはマイクを関連付け、その関連付け情報３を記憶装置２に格納する。メール制御部６は一定間隔でメールサーバ８に対してメールの取得を行う。メール制御部６が受け取ったメール情報に基づいて関連付け情報３を参照し、対応するカメラまたはマイクを操作し、映像または音声を取得する。取得した映像または音声を新規メールに添付し、メールの送信元に送り返す。【選択図】    図１
2005251143.tif 000002
【特許請求の範囲】
【請求項１】
システム装置や携帯端末等からメールを受信し、メールに含まれるコマンドを解析し、コマンドに関連付けられた動作を契機として、１または複数のカメラから選択した特定のカメラの映像（動画または静止画）を取得し、メールの送信元端末にその映像をメールで送り返す事を特徴とするシステム。
【請求項２】
請求項１と同様のシステムにおいて、システム装置や携帯端末等からメールを受信し、メールに含まれるコマンドを解析し、コマンドに関連付けられた動作を契機として、カメラに内蔵されている１または複数のマイクまたは、同じ場所に設置された１または複数のマイクから選択した特定の音声を取得し、メールの送信元にその音声をメールで送り返す事を特徴とするシステム。
【請求項３】
請求項１または２と同様のシステムにおいて、必要とするカメラ映像を取得するために、メールを受信し、メールに含まれるコマンドを解析し、コマンドに関連付けられた動作をカメラまたはカメラと接続されたシステム装置（カメラに内蔵されたコンピュータも含む）または周辺機器に要求する事を特徴とするシステム。
【請求項４】
請求項１〜３と同様のシステムにおいて、必要とする音声を取得するために、メールを受信し、メールに含まれるコマンドを解析し、コマンドに関連付けられた動作をマイクまたはマイクと接続されたシステム装置（マイクに内蔵されたコンピュータも含む）または周辺機器に要求する事を特徴とするシステム。
【請求項５】
請求項１〜４と同様のシステムにおいて、１または複数のカメラにて動態を検知したタイミングを契機として、あらかじめ定められたメールアドレスに対して、映像または音声をメールで送り返す事を特徴とするシステム。
【請求項６】
請求項１〜５と同様のシステムにおいて、１または複数のマイクにて音声を検知したタイミングを契機として、あらかじめ定められたメールアドレスに対して、映像または音声をメールで送り返す事を特徴とするシステム。
【発明の詳細な説明】
【発明の詳細な説明】
【技術分野】
【０００１】本発明は、カメラ映像または音声をメールにて遠隔地に配信する為の装置と、その装置を利用した通信システムに関するものである。
【背景技術】
【０００２】従来、カメラ映像または音声をインターネット経由で取得する為に、カメラ映像または音声を一定間隔でＷｅｂサーバにＦＴＰで転送し公開する。カメラとＷｅｂサーバが一体化したものも存在する。利用者は、Ｗｅｂサーバにアクセスする事により、カメラ映像の閲覧または音声を聞く事できる。Ｗｅｂサーバに転送せずに、直接利用者のメール端末に一定間隔で画像または音声を送信することもできる。
【発明の開示】
【発明が解決しようとする課題】
【０００３】従来のＷｅｂサーバを用いる方法においては、ＷｅｂサーバにグローバルＩＰを割り当て、運用する必要がある。しかし、グローバルＩＰアドレスの運用は技術的に難易度が高く、Ｗｅｂサーバ自体の運用も同様である。また、動態や音声を検知した時点での利用者への通知は不可能であった。【０００４】他にもＷｅｂサーバを利用せずにメールを直接利用者へ送信する方法があるが、カメラまたはマイク側からの一方的な送信であり、Ｗｅｂサーバを利用した場合のように、利用者の任意の時点での映像または音声を取得することができない。これは、通信費の増大にもつながる。【０００５】上記の問題を解決し、本発明においては、グローバルＩＰを必要とせず、利用者の任意の時点または動態や音声を検知した時点での映像または音声を取得することができる仕組みを提供する。
【課題を解決するための手段】
【０００６】上記課題を解決する為に、請求項１に記載の発明においては、利用者が特定のアドレスにメールを送り、そのメールをカメラに接続されたシステム装置（カメラに内蔵されたコンピュータも含む）が受信し、メールに含まれるコマンドに関連付けられた動作を契機として、カメラの映像を取得し、利用者へメールで送り返す仕組みを構成する。【０００７】また、上記課題を解決する為に、請求項２に記載の発明においては、利用者が特定のアドレスにメールを送り、そのメールをマイクに接続されたシステム装置（マイクに内蔵されたコンピュータも含む）が受信し、メールに含まれるコマンドに関連付けられた動作を契機として、音声を取得し、利用者へメールで送り返す仕組みを構成する。【０００８】また、上記課題を解決する為に、請求項３に記載の発明においては、利用者が特定のアドレスにメールを送り、そのメールをカメラに接続されたシステム装置（カメラに内蔵されたコンピュータも含む）が受信し、メールに含まれるコマンドを解析し、コマンドに関連付けられた動作をカメラまたはカメラと接続されたシステム装置（カメラに内藏されたコンピュータも含む）または周辺機器に要求する仕組みを構成する。【０００９】また、上記課題を解決する為に、請求項４に記載の発明においては、利用者が特定のアドレスにメールを送り、そのメールをマイクに接続されたシステム装置（マイクに内蔵されたコンピュータも含む）が受信し、メールに含まれるコマンドを解析し、コマンドに関連付けられた動作をマイクまたはマイクと接続されたシステム装置（マイクに内蔵されたコンピュータも含む）または周辺機器に要求する仕組みを構成する。【００１０】また、上記課題を解決する為に、請求項５に記載の発明においては、１または複数のカメラにて動態を検知したタイミングを契機として、あらかじめ定められたメールアドレスに対して、映像または音声をメールで送り返す仕組みを構成する。【００１１】また、上記課題を解決する為に、請求項６に記載の発明においては、１または複数のマイクにて音声を検知したタイミングを契機として、あらかじめ定められたメールアドレスに対して、映像または音声をメールで送り返す仕組みを構成する。
【発明の効果】
【００１２】カメラ側にグローバルＩＰアドレスを必要とせずＷｅｂサーバなども不要な為、複雑な設定や運用をせずに簡単に遠隔地のカメラまたはマイクを操作し、必要な映像または音声を取得することができる。【００１３】また、メールのみで運用が可能な為、例えば携帯電話への導入も容易である。また、携帯電話などで映像をやりとりする場合、通信料金が問題となる事が多いが、当発明は利用者の任意の時点での映像のみを取得できる為、通信料金を低く抑えることができる。
【発明を実施するための最良の形態】
【００１４】以下、図面を参照して本発明の実施の形態について説明する。図１は本発明の基本的な構成を示すシステム構成図である。本発明は、遠隔地に設置されたカメラ９またはマイク１０と、コマンド付きのメールの送信およびカメラまたはマイクからの映像、音声を利用者に返信するメールサーバ８、利用者が用いるメールを送信できるメール端末７（携帯端末含む）、コマンド付きのメールを解析しカメラまたはマイクに動作を要求するメール制御部６、カメラの制御を行うカメラ制御部４、マイクの制御を行うマイク制御部５からなる。【００１５】メール制御部６とカメラ制御部４とマイク制御部５は、カメラ、マイクに内蔵されたコンピュータの形態、カメラ、マイクと物理的に接続された形態、あるいはネットワークを介して接続される形態などを含み、カメラ、マイクの制御を行えるものであれば、様々な形態を含む。メール制御部６は、コマンドの内容とカメラまたはマイクに対しての動作を関連付ける為の情報を関連付け情報３として記憶装置２に格納する。【００１６】以下、本発明の基本的な処理の流れについて説明する。図２は本発明の基本的な処理の流れを示す図である。ここでは、利用者がカメラＢ１６の映像を取得する流れについて示す。なお、ここで示す処理の流れは一例であって、これに限定されるものではない。【００１７】初めに、利用者メール端末１５からメールサーバ１４に対して件名または本文にコマンドを含むメールをシステム専用のメールアドレスに対して送信する。メール制御部１３では、メールサーバ１４に対してメールの取得を行う。【００１８】メール制御部１３が受け取ったメール内のコマンド情報に基づいて関連付け情報１１を参照し、対応するカメラならびに動作を選択し、カメラ制御部１２に対して動作内容の指示を行う。ここでは、カメラＢ１６に対して映像取得の動作が指示されたものとする。【００１９】カメラ制御部１２は、指示されたカメラＢ１６に対して映像取得の指示を行い、カメラＢ１６の映像を取得する。【００２０】メール制御部１３は、新しいメールを作成し、カメラ制御部１２が取得した映像を添付して、メールサーバ１４に送信する。この時の送信先アドレスは前記にてコマンドを含むメールを送信した利用者のメールアドレスである。【００２１】利用者メール端末１５は、メールサーバ１４に対してメールの取得を行い、取得した映像付きメールを表示する。
【図面の簡単な説明】
【００２２】
【図１】本発明のシステムの基本的な構成を示すシステム構成図である。
【図２】本発明の基本的な処理の流れを示す図である。
【符号の説明】
【００２３】    １システム装置
２記憶装置
３，１１関連付け情報
４，１２カメラ制御部
５マイク制御部
６，１３メール制御部
７，１５メール端未
８，１４メールサーバ
９カメラ
１０マイク
１６図２処理の流れ図において映像を取得するカメラ
【図１】
2005251143.tif 000003
【図２】
2005251143.tif 000004